(57)【要約】【課題】分別対象となった資源を円滑に間違いなく分別回収できるように、情報を周知する。実際に分別対象資源の収納容器への分別収納処理を現場で支援する。【解決手段】分別対象資源２１の保管庫４０のレイアウト画面を表示する手段と、保管庫４０のレイアウト画面中に配置された分別対象資源の収納容器９５のシンボルと、その収納容器９５に収納される分別対象資源の解説情報３１とをリンクさせて、任意の収納容器が選択されたときに、解説情報３１を表示する手段とを備える。検索結果３３は一時保存されて、保管庫４０で分別処理作業を支援する。【選択図】　　　　図１
2004142906.tif 000002
【特許請求の範囲】
【請求項１】
分別対象資源の保管庫のレイアウト画面を表示する手段と、
前記保管庫のレイアウト画面中に配置された分別対象資源の収納容器のシンボルと、その収納容器に収納される分別対象資源の解説情報とをリンクさせて、任意の収納容器が選択されたときに、前記解説情報を表示する手段と、
を備えたことを特徴とする資源分別回収システム。
【請求項２】
請求項１に記載の資源分別回収システムにおいて、
前記レイアウト画面と解説情報とはウェブページから成り、ネットワークを通じて端末装置により閲覧可能に保持されることを特徴とする資源分別回収システム。
【請求項３】
請求項１に記載の資源分別回収システムにおいて、
端末装置は、前記分別対象資源の保管庫に配置されていることを特徴とする資源分別回収システム。
【請求項４】
請求項１に記載の資源分別回収システムにおいて、
前記解説情報には、前記分別対象資源の外観画像が含まれることを特徴とする資源分別回収システム。
【請求項５】
請求項１に記載の資源分別回収システムにおいて、
保管庫において、解説情報のウェブページ上で分別対象資源を指定したとき、収納容器の場所と収納方法を示す音声案内を出力する手段を備えたことを特徴とする資源分別回収システム。
【請求項６】
請求項１に記載の資源分別回収システムにおいて、
保管庫において、解説情報のウェブページ上で分別対象資源を指定したとき、保管庫内の該当する収納容器を光学的に指定する手段を備えたことを特徴とする資源分別回収システム。
【請求項７】
分別対象資源の種類毎に、分別対象資源の解説情報と分別収納場所とを案内する分別案内情報をウェブページ形式で保持し、ネットワークを通じて端末装置により閲覧可能にする手段を備えたことを特徴とする資源分別回収システム。
【請求項８】
請求項７に記載の資源分別回収システムにおいて、
前記解説情報には、前記分別対象資源の外観画像が含まれることを特徴とする資源分別回収システム。
【請求項９】
請求項７に記載の資源分別回収システムにおいて、
複数の分別対象資源を選択したとき、各分別対象資源の解説情報と分別収納場所とを案内する分別案内情報とともに、分別収納場所として指定された複数の保管庫への立ち寄り順を出力する手段を備えたことを特徴とする資源分別回収システム。
【請求項１０】
請求項１に記載の資源分別回収システムにおいて、
任意の分別対象資源を選択して各分別対象資源の解説情報と分別収納場所とを案内する分別案内情報を出力したとき、その出力を一時保存して、保管庫に設けられた端末装置で再表示する手段を設けたことを特徴とする資源分別回収システム。
【請求項１１】
請求項１に記載の資源分別回収システムにおいて、
保管庫において、分別対象資源を収納する収納容器が見当たらないときに、所定の問い合わせ先電話番号を発呼するように端末装置を動作させる手段を備えたことを特徴とする資源分別回収システム。
【請求項１２】
分別対象資源の保管庫のレイアウト画面を表示する手段と、
前記保管庫のレイアウト画面中に配置された分別対象資源の収納容器のシンボルと、その収納容器に収納される分別対象資源の解説情報とをリンクさせて、任意の収納容器が選択されたときに、前記解説情報を表示する手段と、
分別対象資源を指定したとき、収納容器の場所と収納方法を示す音声案内を出力する手段と、
を備えたことを特徴とする保管庫の端末装置。
【請求項１３】
分別対象資源の保管庫のレイアウト画面を表示する手段と、
前記保管庫のレイアウト画面中に配置された分別対象資源の収納容器のシンボルと、その収納容器に収納される分別対象資源の解説情報とをリンクさせて、任意の収納容器が選択されたときに、前記解説情報を表示する手段と、
保管庫において、分別対象資源を指定したとき、保管庫内の該当する収納容器を光学的に指定する手段と、
を備えたことを特徴とする保管庫の端末装置。
【請求項１４】
分別対象資源の保管庫のレイアウト画面を表示する処理と、
前記保管庫のレイアウト画面中に配置された分別対象資源の収納容器のシンボルと、その収納容器に収納される分別対象資源の解説情報とをリンクさせて、任意の収納容器が選択されたときに、前記解説情報を表示する処理と、
をコンピュータに実行させることを特徴とする資源分別回収プログラム。
【請求項１５】
任意の端末を用いて、処分の対象となる分別対象資源について、その分別対象資源の収納容器を配置した保管庫を検索し、サーバに一時保存した検索結果を、保管庫の端末において呼び出す手段と、
呼び出された検索結果に基づいて、保管庫内の該当する分別対象資源の収納容器を、直接指定する表示処理を実行する手段とを備えたことを特徴とする資源分別回収システム。
【発明の詳細な説明】
【０００１】
【発明の属する技術分野】
本発明は、分別対象資源の収納容器への分別収納処理を支援するために利用される資源分別回収システムと資源分別回収プログラムに関する。
【０００２】
【従来の技術】
企業では、産業廃棄物を可能な限り詳細に高精度に分別回収して、資源ゴミを有効に再利用するための活動が活発化している。これはゼロエミッション活動とも呼ばれている。この目的達成のために、企業内で発生する産業廃棄物の名称リストと分別回収場所および回収方法等を詳細に表示したパンフレットを作成して、企業内に配布するといった方法が採用されている。
【０００３】
【発明が解決しようとする課題】
ところで、上記のような従来の技術には、次のような解決すべき課題があった。
分別回収方法等を表示したパンフレットは、多種多様な分別対象資源の分別回収方法が、個々に具体的に説明され、その分別回収場所等の説明図が含められるから、ボリュームのある資料になる。しかも、資源の多様化により、次々と新たな分別回収項目が発生するため、頻繁に改訂される。従って、企業内の全ての従業員に周知徹底することは容易でない。また、ボリュームがあって内容が複雑なために、目的とする情報を見つけるのに多くのタイムロスが発生する。また、慣れない場合には、分別回収方法が見つけられないということもある。さらに、新たな分別回収項目が発生してからパンフレットの改訂判が発行されるまでの間は、従来どおりの分別回収方法が採用される。これらのことから、分別精度が一時的に低下する。また、パンフレットの頻繁な改訂は紙資源の無駄になり、ゼロエミッション活動と矛盾する。
本発明は以上の点に着目してなされたもので、分別対象となった資源を円滑に間違いなく分別回収できるように、情報を周知することができる資源分別回収システムと資源分別回収プログラムを提供することを目的とする。
本発明は、また、実際に分別対象資源の収納容器への分別収納処理を現場で支援することができる資源分別回収システムと資源分別回収プログラムを提供することを目的とする。
【課題を解決するための手段】
本発明は次の構成により上記の課題を解決する。
〈構成１〉
分別対象資源の保管庫のレイアウト画面を表示する手段と、上記保管庫のレイアウト画面中に配置された分別対象資源の収納容器のシンボルと、その収納容器に収納される分別対象資源の解説情報とをリンクさせて、任意の収納容器が選択されたときに、上記解説情報を表示する手段と、を備えたことを特徴とする資源分別回収システム。
【０００４】
分別対象資源の保管庫には、複数の収納容器が配置されている。レイアウト画面は、収納容器のシンボルを配列どおりに表示する。収納容器のシンボルの形状等は任意である。各収納容器は、それぞれ指定された分別対象資源を分別回収するために使用される。解説情報は、その分別対象資源を他の分別対象資源と区別するための詳細な説明を表示する文書である。いずれかの収納容器がマウスクリック等で選択されると、その解説情報が表示される。解説情報の内容や形式は任意である。保管庫には、最終的に廃棄処分されるものが含まれていても構わない。
【０００５】
〈構成２〉
構成１に記載の資源分別回収システムにおいて、上記レイアウト画面と解説情報とはウェブページから成り、ネットワークを通じて端末装置により閲覧可能に保持されることを特徴とする資源分別回収システム。
【０００６】
レイアウト画面と解説情報のウェブページはサーバに保持される。サーバは分別対象資源の管理者側に設置される。端末装置は例えば、保管庫内部等に配置される。故に、保管庫内部で収納容器の前に立って、どの収納容器にどの分別対象資源を収納するか、端末装置を使用して調べることができる。端末装置の種類や構成は任意である。ネットワークを通じてレイアウト画面と解説情報を閲覧する機能を持てばよい。
【０００７】
〈構成３〉
構成１に記載の資源分別回収システムにおいて、端末装置は、前記分別対象資源の保管庫に配置されていることを特徴とする資源分別回収システム。
【０００８】
あらかじめ保管庫内の収納容器のレイアウトや、どの収納容器にどの分別対象資源を収納するかという点を、レイアウト画面と解説情報のウェブページで確認しておくこともできるが、保管庫で確認できるのが最も便利である。なお、端末装置を配置する場所は、保管庫の内部でも、入り口でも構わない。
【０００９】
〈構成４〉
構成１に記載の資源分別回収システムにおいて、上記解説情報には、上記分別対象資源の外観画像が含まれることを特徴とする資源分別回収システム。
【００１０】
収納容器の前で、その収納容器に分別回収される分別対象資源を判別するには、分別対象資源そのものの外観画像を表示するのが最適である。外観画像の撮影方法やデータ形式は任意である。
【００１１】
〈構成５〉
構成１に記載の資源分別回収システムにおいて、保管庫において、解説情報のウェブページ上で分別対象資源を指定したとき、収納容器の場所と収納方法を示す音声案内を出力する手段を備えたことを特徴とする資源分別回収システム。
【００１２】
保管庫で分別対象資源を収納容器に分別する作業は、端末装置のディスプレイを見ながらでは不便である。そこで音声案内を利用する。音声案内の内容や出力方法は任意である。
【００１３】
〈構成６〉
構成１に記載の資源分別回収システムにおいて、保管庫において、解説情報のウェブページ上で分別対象資源を指定したとき、保管庫内の該当する収納容器を光学的に指定する手段を備えたことを特徴とする資源分別回収システム。
【００１４】
多数の収納容器が配置されていると、どの収納容器か判別しにくく、誤った操作をしてしまう。そこで、例えば、各収納容器ごとに配置した点滅ランプ等の手段で、該当する収納容器を指定する。該当する収納容器を照射するスポットライトでもよいし、レーザービーム式のポインタでもよい。プロジェクタを用いて保管庫の壁にレイアウト画面と解説情報を表示してもよい。また、収納容器の配置された壁の、該当する収納容器の上部に、表示を投影するようにしてもよい。
【００１５】
〈構成７〉
分別対象資源の種類毎に、分別対象資源の解説情報と分別収納場所とを案内する分別案内情報をウェブページ形式で保持し、ネットワークを通じて端末装置により閲覧可能にする手段を備えたことを特徴とする資源分別回収システム。
【００１６】
このウェブページは、分別対象資源の処分前に閲覧される。解説情報と分別収納場所情報により、処分方法を確認して、処分の準備をするために利用される。分別対象資源の解説情報は、その分別対象資源を他の分別対象資源と区別するための詳細な説明を表示する文書である。例えば、分別対象資源の材料やサイズ等も表示する。また、収納容器への収納形態や、組み立て品をそれぞれ別々の分別対象資源に分解するための方法等を含めてもよい。分別収納場所情報は、少なくとも、分別対象資源の種類に応じて定められた保管庫の場所を表示する。好ましくは、保管庫内における当該分別対象資源の収納容器の配置も表示する。
【００１７】
〈構成８〉
構成７に記載の資源分別回収システムにおいて、上記解説情報には、上記分別対象資源の外観画像が含まれることを特徴とする資源分別回収システム。
【００１８】
保管庫へ分別対象資源を持ち込む前に分別をするには、外観画像が重要な役割を果たす。
【００１９】
〈構成９〉
構成７に記載の資源分別回収システムにおいて、複数の分別対象資源を選択したとき、各分別対象資源の解説情報と分別収納場所とを案内する分別案内情報とともに、分別収納場所として指定された複数の保管庫への立ち寄り順を出力する手段を備えたことを特徴とする資源分別回収システム。
【００２０】
多種の分別対象資源を処分する場合には、保管庫への立ち寄り順まで含めた出力をして、処分作業を支援する。立ち寄り順の内容や表示方法は任意である。
【００２１】
〈構成１０〉
構成１に記載の資源分別回収システムにおいて、任意の分別対象資源を選択して各分別対象資源の解説情報と分別収納場所とを案内する分別案内情報を出力したとき、その出力を一時保存して、保管庫に設けられた端末装置で再表示する手段を設けたことを特徴とする資源分別回収システム。
【００２２】
分別対象資源の解説情報と分別収納場所を検索した結果は、通常、プリンタ等に出力される。しかしながら、その出力を一時保存してあれば、保管庫に出向いて不明な点が発生すれば、再検索作業無しに該当情報を取り出すことができる。一時保存としたのは、不要になったとき、手動であるいは自動的に削除する情報だからである。
【００２３】
〈構成１１〉
構成１に記載の資源分別回収システムにおいて、保管庫において、分別対象資源を収納する収納容器が見当たらないときに、所定の問い合わせ先電話番号を発呼するように端末装置を動作させる手段を備えたことを特徴とする資源分別回収システム。
【００２４】
保管庫で分別対象資源を収納する収納容器が見当たらないときに、あいまいな処理をしてしまうと、精度の高い分別が不能になる。そこで、分別回収を企画し管理している管理者を電話で呼び出して、その場で問い合わせることができる。発呼方法は、画面上の所定のボタンをクリックする等の操作によればよい。
【００２５】
〈構成１２〉
分別対象資源の保管庫のレイアウト画面を表示する手段と、上記保管庫のレイアウト画面中に配置された分別対象資源の収納容器のシンボルと、その収納容器に収納される分別対象資源の解説情報とをリンクさせて、任意の収納容器が選択されたときに、上記解説情報を表示する手段と、分別対象資源を指定したとき、収納容器の場所と収納方法を示す音声案内を出力する手段と、を備えたことを特徴とする保管庫の端末装置。
【００２６】
構成５の機能を持ち、保管庫に設置される端末装置の発明である。
【００２７】
〈構成１３〉
分別対象資源の保管庫のレイアウト画面を表示する手段と、上記保管庫のレイアウト画面中に配置された分別対象資源の収納容器のシンボルと、その収納容器に収納される分別対象資源の解説情報とをリンクさせて、任意の収納容器が選択されたときに、上記解説情報を表示する手段と、保管庫において、分別対象資源を指定したとき、保管庫内の該当する収納容器を光学的に指定する手段と、を備えたことを特徴とする保管庫の端末装置。
【００２８】
構成６の機能を持ち、保管庫に設置される端末装置の発明である。
【００２９】
〈構成１４〉
分別対象資源の保管庫のレイアウト画面を表示する処理と、上記保管庫のレイアウト画面中に配置された分別対象資源の収納容器のシンボルと、その収納容器に収納される分別対象資源の解説情報とをリンクさせて、任意の収納容器が選択されたときに、上記解説情報を表示する処理と、をコンピュータに実行させることを特徴とする資源分別回収プログラム。
【００３０】
構成１の発明を実現するコンピュータプログラムの発明である。
【００３１】
〈構成１５〉
任意の端末を用いて、処分の対象となる分別対象資源について、その分別対象資源の収納容器を配置した保管庫を検索し、サーバに一時保存した検索結果を、保管庫の端末において呼び出す手段と、呼び出された検索結果に基づいて、保管庫内の該当する分別対象資源の収納容器を、直接指定する表示処理を実行する手段とを備えたことを特徴とする資源分別回収システム。
【００３２】
任意の端末で検索をし、その結果を保存しておき、保管庫の端末装置でその結果を呼び出す。保管庫の端末装置の設置場所や形態は任意である。呼び出された検索結果に基づいて、保管庫内の該当する分別対象資源の収納容器を、直接指定する。単に保管庫全体のレイアウト画面を表示するのは間接的な指定である。検索された該当する収納容器が直ちに分かるように、他の収納容器と区別をして表示することにより、直接指定ができる。レイアウト画面を表示するときは、該当する収納容器を例えば高輝度表示する。音声表示なら、何番目の収納容器かを声で伝える。光学的表示なら、該当する収納容器を照射する。これにより、予め準備をしておけば、保管庫で迷わず最短時間で分別対象資源の分別ができる。
【００３３】
【発明の実施の形態】
以下、本発明の実施の形態を具体例を用いて説明する。
図１は本発明の資源分別回収システムの具体例を示すブロック図である。
図のシステムでは、ネットワーク１を通じてサーバ１０と端末装置１１、１２を接続して、分別案内情報を広く共有する。ネットワーク１は、インターネットやイントラネット（ＬＡＮ、ＷＡＮ）などの各種の任意の情報通信用ネットワークである。有線ネットワークでも無線ネットワークでも構わない。端末装置１１や１２は、パーソナルコンピュータ、モバイルコンピュータ、携帯電話端末、その他、情報処理機能と通信機能を持つ任意の通信用端末である。
【００３４】
サーバ１０は、記憶装置１５と、演算処理用の検索制御手段１６を備える。記憶装置１５は、サーバ１０に内蔵されていても外付けされていても構わない。記憶装置１５には、５０番目が記憶されている。１６番目は、５０番目を使用してデータ検索をした検索結果１８をウェブページ形式で記憶装置１５に記憶する。また、５０番目は、後で説明する５５番目、５６番目、５７番目等のデータを含み、これらをウェブページ形式で保持する。各ウェブページは、それぞれ所定のＵＲＬ（Ｕｎｉｆｏｒｍ　Ｒｅｓｏｕｒｃｅ　Ｌｏｃａｔｏｒ：）を用いて、端末装置１１や１２からネットワーク１を通じて閲覧可能な状態にされている。ウェブページは、ＨＴＭＬ（Ｈｙｐｅｒ　Ｔｅｘｔ　Ｍａｒｋ−ｕｐ　Ｌａｎｇｕａｇｅ）、ＳＧＭＬ（Ｓｔａｎｄａｒｄ　Ｇｅｎｅｒａｌｉｚｅｄ　Ｍａｒｋ−ｕｐ　Ｌａｎｇｕａｇｅ）、ＸＭＬ（ｅＸｔｅｎｓｉｂｌｅ　Ｍａｒｋｕｐ　Ｌａｎｇｕａｇｅ）　等の形式で作成されたもので、ブラウザ等の閲覧用プログラムにより閲覧可能な形式のデータである。各ウェブページは相互にリンクされている。リンクは、ウェブデータ中に含まれる所定のコマンド（ＵＲＬを含むタグ）により、該当するＵＲＬに登録されたウェブデータを参照できるようにして、互いに独立したデータファイルを関係付ける。また、ウェブページに含まれる画像データは、例えば、ビットマップ（Ｂｉｔｍａｐ）形式やＧＩＦ（Ｇｒａｐｈｉｃｓ　Ｉｎｔｅｒｃｈａｎｇｅ　Ｆｏｒｍａｔ）形式といった、コンピュータによって画像を処理するための任意の形式の画像データである。
【００３５】
端末装置１１は、記憶装置１５に記憶された分別案内データベース５０を利用して、分別処理をする資源の分別処理方法を検索するために使用する。検索処理の最初に表示される画面は分別案内情報３０である。分別処理をする資源の具体的な解説には解説情報３１を参照する。分別処理をする資源の保管場所を検索したときには、レイアウト画面３２を表示して、分別処理の方法を確認する。分別案内情報３０の具体例は後で図３を用いて説明する。解説情報３１やレイアウト画面３２の具体例は図４を用いて説明する。端末装置１１を利用した検索作業が終了すると、運搬装置２０を使用して資源２１を保管庫４０に運ぶ。
【００３６】
保管庫４０には、その入口などに端末装置１２が設置されている。端末装置１２を操作すれば、端末装置１１と同様の検索処理をすることができる。また、この実施例では、端末装置１１による検索結果がサーバ１０の記憶装置１５に一時保存される。これが検索結果である。端末装置１２で検索結果１８を呼び出すと、検索結果３３をそのディスプレイに表示できる。検索結果３３は検索結果１８と同様の内容でよいが、適当にレイアウトや表示情報の内容を編集したものでもよい。必要に応じて解説情報３４も表示できる。端末装置１２の動作説明は後で図５を用いて説明する。
【００３７】
図２は、記憶装置１５と検索結果１８の具体的な内容を示す説明図である。
記憶装置１５は、検索エンジン５１の、品名リスト５２と保管庫リスト５３と収納容器リスト５４と資源外観画像ファイル５５と解説情報ファイル５６とレイアウト画面ファイル５７などを含む。検索エンジン５１を使用すると、資源名や保管庫名やその他様々なキーを用いて、品名リスト５２や保管庫リスト５３や収納容器リスト５４を検索できる。図１に示した検索制御手段１６は、これらの検索制御を行うとともに、検索結果と資源外観画像ファイル５５や解説情報ファイル５６やレイアウト画面ファイル５７をリンクさせてウェブページを生成し、端末装置１１や１２に表示させる。
【００３８】
検索結果６０は、品目６１や保管庫名６２や収納容器名６３や外観画像６４や位置解説情報６５を含む情報である。具体的には、ビニール手袋を資源ごみとした場合に、このビニール手袋を分別して保管する保管庫の名称と、その保管庫の中に配置された収納容器の表示などを検索結果として出力する。資源によって名称では実物が判別できないことがある。このときは外観画像６４を検索結果とともに表示することができる。位置解説情報６５は、具体的に、保管庫の内部で該当する収納容器がどこに置いてあるかを明確にするためのコメントである。また、この検索結果６０が端末装置１１のディスプレイに表示されている場合、ボタン６６をクリックすることによって検索結果６０がサーバ１０の記憶装置１５に記憶される。
【００３９】
図３の（ａ）は分別案内情報３０を検索する画面の説明図、（ｂ）は、検索により得られた資源リストの説明図である。
図１に示したサーバ１０の分別案内データベース５０を検索する場合に、この図に示す画面７０が最初に表示される。品名ボタン群７１は、検索対象である分別処理をするべき資源の名称を表示したものである。初めは大分類が表示される。各ボタンをクリックすると、資源名のリストが表示される。例えば、プラスチック類と表示されたボタンをクリックすると、図の（ｂ）に示したように、プラスチック類に属する資源の名称リストが表示される。各資源は、それぞれ右側に表示された保管庫に保管される。保管庫の中には右側に示したような名前を付けた収納容器が多数配置されている。保管庫ボタン群７２の各ボタンは、保管庫ごとの分別処理方法を示すためのボタンである。そのいずれかのボタンをクリックすると、保管庫のレイアウトが表示される。
【００４０】
図４（ａ）は保管庫４０のレイアウト画面の説明図、（ｂ）は、解説情報の具体例説明図である。
レイアウト画面８０は、保管庫イメージ８１を表示する画面である。これは、図２で説明したレイアウト画面ファイル５７の内容である。保管庫イメージ８１の入口８２から見て、その左手の壁に沿って収納容器が並べられている。収納容器シンボル２５はその状態を示す。なおこの保管庫には、収納容器シンボル２５のほかに箱２６や置き場所２７も設けられている。例えば収納容器シンボル２５で表示された収納容器には、検索結果に示されたような分別方法で資源が収納される。また、分別不明の資源は箱２６に収納される。さらに、タンクなどに詰められた液体資源は、置き場所２７に示されたような各区画に置かれる。
【００４１】
保管庫イメージ８１中のいずれかの収納容器シンボル２５をクリックすると、画面８５が表示される。画面８５は、具体的に、収納容器シンボル２５に収納する資源を撮影した写真８６などを含む。これが、図２で説明した資源外観画像ファイル５５に相当する。また、解説ボタン８７をクリックすると、解説８８が表示される。この解説８８は、具体的にその資源の名称や性質や処分方法その他の、分別処理に必要な様々な情報を文書で示したものである。なお、画面８５は、図３に示した品名リスト７３の品名部分をクリックしたときにも、表示することができるように、各情報をリンクしておくとよい。
【００４２】
即ち、分別処理の対象となる資源を運び出す際には、あらかじめ工場などに配置された端末装置１１を操作して、図３に示した画面７０や品名リスト７３や、図４に示したレイアウト画面８０や画面８５を参照し、検索結果６０を得る。これにより、運搬装置２０の上に積載した資源２１の運搬先が決まる。その後運搬装置２０を操作して保管庫４０まで移動する。次に、保管庫４０の端末装置１２を操作する。ここで検索結果３３を表示させ案内を要求すると、次のような動作が実行される。
【００４３】
図５は、保管庫４０の端末装置１２による分別指示方法説明図である。
図の（ａ）、（ｂ）、（ｃ）、（ｄ）に示した方法は、保管庫で分別処理を自動的に指示するための、それぞれ別々の手段を示す。（ａ）に示した手段は、検索結果の内容を音声で出力し案内をする方法である。検索結果６０は、図２で説明したような内容のデータであるが、そのデータから、品目６１と位置解説情報６５と収納容器名６３を順番に取り出して編集することによってコメント編集結果６７を生成する。このデータを構成変換部９１を用いて音声変換し、スピーカ駆動部９２を用いてスピーカを駆動する。これによって、実際に保管庫に運び込んだ各資源の収納容器がある場所を順番に音声で読みあげて、分別処理作業を支援できる。
【００４４】
（ｂ）に示した手段は、各収納容器９５の真上に配置したランプ９３を選択的に点滅させて、保管庫に運び入れた資源を収納する収納容器９５を直接指定する。これは、複数のランプ９３の点滅を制御する点滅制御部９８を端末装置１２に接続することにより実現する。（ｃ）に示した手段は、レーザビームポインタ９６を利用する。講演会などで広く利用されるレーザビームポインタ９６を使用して、収納容器９５を直接指定する。この制御も、点滅制御部９８を利用することができる。（ｄ）に示した手段は、液晶プロジェクタ９７で保管庫の壁面に映像９９を投影する。映像９９は、収納容器９５を直接指定するためのもので、該当する収納容器９５の真上の壁に投影されることが好ましい。
【００４５】
図６は、任意の端末装置の分別案内情報検索処理動作を示すフローチャートである。
始めに、ある工場で集積してある資源２１を保管する場所を調べるために、端末装置１１を起動する。端末装置１１には、ステップＳ１で分別案内画面が表示される。ステップＳ２では、品名ボタン群７１中の分別対象資源の名称を選択するためのクリックイベントを待つ。いずれかのボタンがクリックされたのを検出すると、ステップＳ３で分別案内データベース５０を検索して、ステップＳ４で、品名リスト７３のような検索結果を表示する。ステップＳ４でいずれかの品名がクリックされると、画面８５のような外観写真が表示される。ステップＳ５でその解説ボタン８７がクリックされると、解説８８が表示される。
【００４６】
ステップＳ６で品名リスト７３の保管庫名がクリックされると、ステップＳ７でレイアウト画面８０に示したようなレイアウト画面が表示される。ステップＳ８でこの画面中の収納容器名をクリックすると、ステップＳ９で品名リスト７３や画面８５のような形式の収納容器毎の収納品名リストが表示される。いずれの画面でも、分別対象の資源を指定すると、ステップＳ１０で検索結果６０のような検索結果リストを表示する。ステップＳ１１で保存ボタンがクリックされると、ステップＳ１２で検索者をキーにしてサーバ１０の記憶装置１５に検索結果を保存する。
【００４７】
図７は、保管庫の端末装置の分別処理案内動作を示すフローチャートである。保管庫では、端末装置１２を起動する。端末装置１２は、ステップＳ２１でサーバ１０に接続をする。そして、ステップＳ２２で、検索者の入力を求め、検索者をキーにして検索結果６０を呼び出す。ステップＳ２３でレイアウト情報を表示する。さらに、ステップＳ２４で、検索結果６０を参照して、レイアウト情報中の該当する収納容器を高輝度表示する。これにより、端末装置１２のディスプレイ上で、該当する収納容器を確認できる。また、音声案内をする場合には、ステップＳ２５からステップＳ２６に進み、検索結果を編集して、音声変換し、スピーカを駆動する。
【００４８】
光表示をする場合には、ステップＳ２７からステップＳ２８に進み、点滅制御部９８に情報送信をする。そして、該当する収納容器上のランプを点灯させる。なお、レーザビームポインタ９６を使用したり、スポットライト照射方法を採用する場合も同様である。プロジェクタ案内表示をする場合にはステップＳ２９からステップＳ３０に進み、画面表示場所を選択して、ステップＳ３１で液晶プロジェクタにより検索結果を表示する。画面表示場所は、収納容器の直上である。なお、上記の例では、端末装置１２が図５で説明をした全ての機能を保持しているように説明をしたが、いずれか一つの機能を保持していれば十分である。
【００４９】
なお、上記の演算処理装置にインストールされたコンピュータプログラムは、それぞれ独立したプログラムモジュールを組み合わせて構成してもよいし、全体を一体化したプログラムにより構成してもよい。コンピュータプログラムにより制御される処理の全部または一部を同等の機能を備えるハードウエアで構成しても構わない。また、上記のコンピュータプログラムは、既存のアプリケーションプログラムに組み込んで使用してもよい。上記のような本発明を実現するためのコンピュータプログラムは、例えばＣＤ−ＲＯＭのようなコンピュータで読み取り可能な記録媒体に記録して、任意の情報処理装置にインストールして利用することができる。また、ネットワークを通じて任意のコンピュータのメモリ中にダウンロードして利用することもできる。
【図面の簡単な説明】
【図１】本発明の資源分別回収システムの具体例を示すブロック図である。
【図２】記憶装置１５と検索結果１８の具体的な内容を示す説明図である。
【図３】（ａ）は分別案内情報３０を検索する画面の説明図、（ｂ）は、検索により得られた資源リストの説明図である。
【図４】（ａ）は保管庫４０のレイアウト画面の説明図、（ｂ）は、解説情報の具体例説明図である。
【図５】保管庫４０の端末装置１２による分別指示方法説明図である。
【図６】任意の端末装置の分別案内情報検索処理動作を示すフローチャートである。
【図７】保管庫の端末装置の分別処理案内動作を示すフローチャートである。
【符号の説明】
１　ネットワーク、１０　サーバ、１１　端末装置、１２　端末装置、１５　記憶装置、１６　検索制御手段、２０　運搬装置、２１　資源、２５　収納容器シンボル、３０　分別案内情報、３１　解説情報、３２　レイアウト画面、３３検索結果、３４　解説情報、４０　保管庫、５０　分別案内データベース
【図１】
2004142906.tif 000003
【図２】
2004142906.tif 000004
【図３】
2004142906.tif 000005
【図４】
2004142906.tif 000006
【図５】
2004142906.tif 000007
【図６】
2004142906.tif 000008
【図７】
2004142906.tif 000009